(57)【要約】【課題】  ネガフィルム、写真及びＣＤの袋詰め作業を自動化して効率的に行なうことができる写真処理装置を提供することを目的とする。【解決手段】  現像後のフィルムに記録されている撮影済みの画像を読み取り、フィルムをネガシートに収納するフィルム処理装置２０と、フィルムから読み取られた画像を印画紙片にプリントする写真出力装置３０と、フィルムから読み取られた画像をＣＤに書き込むＣＤ処理装置４０、ネガシート、プリントされた写真及び書き込み済みのＣＤを１つの収納袋に収納する収納装置５０と、ネガシートを収納装置５０へ移送する搬送ベルト６１１を有するネガシート搬送装置６０と、プリントされた写真及び書き込み終了後のＣＤを収納装置５０へ移送する搬送ベルト７１１を有する注文品搬送装置７０とを備える。【選択図】      図１
2006039054.tif 000002
【特許請求の範囲】
【請求項１】
ネガフィルムに記録されている撮影済みの画像を感光材シート及びディスク状記録媒体に記録するための注文情報を受け付ける受付手段と、
前記ネガフィルムに記録されている撮影済みの画像を読み取る画像読取部と、
前記画像読取部で読み取られた画像を感光材シートにプリントするプリンタと、
前記画像読取部で読み取られた画像をディスク状記録媒体に書き込む書込部と、
前記ネガフィルム、感光材シート及びディスク状記録媒体を１つの収納材に収納する収納手段と、
前記ネガフィルムを前記画像読取部から、前記感光材シートを前記プリンタから、及び前記ディスク状記録媒体を前記書込部から前記収納手段へ移送する搬送路を有する搬送手段とを備えたことを特徴とする写真処理装置。
【請求項２】
前記画像読取部は、前記ネガフィルムをネガシートに収納するネガフィルム収納部を備え、前記搬送手段は、ネガフィルムが収納されたネガシートを収納手段へ搬送するものであることを特徴とする請求項１記載の写真処理装置。
【請求項３】
前記書込部は、前記感光材シートを搬送する搬送路の途中に配置されると共に、前記搬送路上に書き込み済みのディスク状記録媒体を載置する載置手段を備えていることを特徴とする請求項１又は２記載の写真処理装置。
【請求項４】
受け付けた注文情報から注文毎の識別情報を生成する識別情報付与手段と、
少なくとも感光材シート及びディスク状記録媒体の表面適所に注文毎の前記識別情報を記録する記録手段と、
前記搬送手段の各搬送路中に配置され、搬送中の感光材シート及びディスク状記録媒体の表面に記録した識別情報を読み取る識別情報読取手段と、
前記感光材シート及びディスク状記録媒体から読み取った各識別情報の一致の有無を判断する照合手段と、
前記照合手段による照合結果に応じて前記搬送手段の駆動を制御する搬送制御手段とを備えたことを特徴とする請求項１〜３のいずれかに記載の写真処理装置。
【請求項５】
前記記録手段は、前記ネガフィルム及び該ネガフィルムを収納したネガシートの一方に前記識別情報を記録するものであり、前記識別情報読取手段は、ネガシートの搬送路途中に配置され、搬送中のネガシート又はネガフィルムの一方から識別情報を読み取るものであり、前記照合手段は、さらに前記ネガシート又はネガフィルムの一方から読み取った識別情報との一致の有無を判断するものであることを特徴とする請求項４記載の写真処理装置。
【請求項６】
前記識別情報読取手段は、搬送路の途中であって、前記収納手段の直ぐ上流位置であることを特徴とする請求項４又は５記載の写真処理装置。
【請求項７】
前記搬送制御手段は、判別結果が不一致のときには、前記搬送手段の駆動を停止することを特徴とする請求項４〜６のいずれかに記載の写真処理装置。
【発明の詳細な説明】
【技術分野】
【０００１】
本発明は、ネガフィルムに記録されている撮影済みの画像を感光材シート及びディスク状記録媒体に記録し得る写真処理装置に関する。
【背景技術】
【０００２】
従来、写真館やＤＰ店などでネガフィルムから写真のプリント処理を行う場合には、注文者から指示されたプリント指示信号を含む注文情報をＤＰ袋と呼ばれる袋に記入して、このＤＰ袋とネガフィルムとを対応付けるために、ツインチェックと呼ばれる４桁の数字が印刷されたラベルをＤＰ袋とネガフィルムとに貼り付けていた。
【０００３】
そして、ネガフィルムに対しては、現像、フィルムスキャナによる画像データの読み取り、フィルム処理装置によるネガシートの生成等の処理が施され、フィルムスキャナにより読み取られた画像データが写真出力装置に入力されて印画紙にプリント処理が施されて写真が生成される。
【０００４】
プリント処理が完了すると、写真に写っている画像と、ネガシートとなったネガフィルムの画像とが作業者の目視によって照合され、プリントされた写真とネガフィルムとが照合される。そして、更に、ネガフィルムに貼付されたツインチェックラベルと、ＤＰ袋に貼付されたツインチェックラベルとが作業者の目視によって照合され、ネガフィルムとＤＰ袋とが照合され、照合されたネガフィルムと写真とがＤＰ袋に収納されて、注文者に受渡し可能な状態（仕上がり状態）となる。
【発明の開示】
【発明が解決しようとする課題】
【０００５】
上記の方法によれば、ＤＰ袋、ネガフィルム及びプリントされた写真を作業者が目視によって照合する必要があるため、多数のプリント注文を間違いなく、短時間で処理することは困難であり、また、作業者の負担が大きかった。
【０００６】
一方、近年、ＣＤドライブを備えたパーソナルコンピュータの一般家庭への普及に伴い、フィルムスキャナによって読み取られた画像データやスマートメディア（登録商標）等の小型メモリカードからなる記録媒体に格納された画像データをＣＤ処理装置によってＣＤに格納し、提供するサービスが行われるようになってきている。このサービスを行う場合には、従来のＤＰ袋、ネガフィルム及びプリントされた写真に加えて、画像データが格納されたＣＤと、写真等との照合を行う必要があり、更に作業者の負担が大きくなる。しかも、写真及びネガフィルムはこれらの画像を外観上目視できるのに対し、ＣＤに書き込まれた画像データは外観上目視できないため、ＣＤと写真、ネガフィルムとの照合を誤る場合があり、これを防ぐためにはＣＤに書き込まれた画像データを読出手段により読出し、モニタで確認する必要があった。このように、従来はネガフィルム、写真及びＣＤを照合して袋詰めする作業に時間がかかり、注文品を短時間で受渡し可能な状態にするのは困難であった。
【０００７】
本発明は、上記課題に鑑みてなされたもので、ネガフィルム、写真及びＣＤの袋詰め作業を自動化して効率的に行なうことができる写真処理装置を提供することを目的とする。また、ネガフィルム、写真及びＣＤを正確な組み合わせで袋詰めすることができる写真処理装置を提供することを目的とする。
【課題を解決するための手段】
【０００８】
請求項１に係る写真処理装置は、ネガフィルムに記録されている撮影済みの画像を感光材シート及びディスク状記録媒体に記録するための注文情報を受け付ける受付手段と、前記ネガフィルムに記録されている撮影済みの画像を読み取る画像読取部と、前記画像読取部で読み取られた画像を感光材シートにプリントするプリンタと、前記画像読取部で読み取られた画像をディスク状記録媒体に書き込む書込部と、前記ネガフィルム、感光材シート及びディスク状記録媒体を１つの収納材に収納する収納手段と、前記ネガフィルムを前記画像読取部から、前記感光材シートを前記プリンタから、及び前記ディスク状記録媒体を前記書込部から前記収納手段へ移送する搬送路を有する搬送手段とを備えたことを特徴とするものである。
【０００９】
上記構成によれば、ネガフィルムに記録されている撮影済みの画像を感光材シート及びディスク状記録媒体に記録するための注文情報が受付手段によって受け付けられ、ネガフィルムに記録されている撮影済みの画像が画像読取部によって読み取られる。注文情報によっては、読み取られた画像はプリンタによって感光材シートにプリントされ、また、書込部によってディスク状記録媒体に書き込まれることになる。そして、ネガフィルムは画像読取部から、感光材シートはプリンタから、ディスク状記録媒体は書込部からそれぞれ搬送手段の搬送路を経由して収納手段へ移送され、ネガフィルム、感光材シート及びディスク状記録媒体が収納手段によって１つの収納材に収納される。このため、ネガフィルム、感光材シート及びディスク状記録媒体の袋詰作業の自動化による作業効率の向上が図られる。
【００１０】
請求項２に係る写真処理装置は、請求項１記載の写真処理装置において、前記画像読取部は、ネガフィルムをネガシートに収納するネガフィルム収納部を備え、搬送手段は、ネガフィルムが収納されたネガシートを収納手段へ搬送するものであることを特徴とするものである。
【００１１】
上記構成によれば、ネガフィルム収納部によってネガフィルムがネガシートに収納され、ネガフィルムが収納されたネガシートが搬送手段によって収納手段へ搬送されるため、ネガシートの感光材シートとディスク状記録媒体との袋詰作業の自動化がより容易となる。
【００１２】
請求項３に係る写真処理装置は、請求項１又は２記載の写真処理装置において、前記書込部は、前記感光材シートを搬送する搬送路の途中に配置されると共に、前記搬送路上に書き込み済みのディスク状記録媒体を載置する載置手段を備えていることを特徴とするものである。
【００１３】
上記構成によれば、書き込み済みのディスク状記録媒体は、載置手段によって感光材シートを搬送する搬送路上に例えばシュータ部を介して載置される。従って、感光材シート及びディスク状記録媒体が共通の搬送路を用いて搬送されることになる。搬送装置の構成がその分簡略化される。
【００１４】
請求項４に係る写真処理装置は、請求項１〜３のいずれかに記載の写真処理装置において、受け付けた注文情報から注文毎の識別情報を生成する識別情報付与手段と、少なくとも感光材シート及びディスク状記録媒体の表面適所に注文毎の前記識別情報を記録する記録手段と、前記搬送手段の各搬送路中に配置され、搬送中の感光材シート及びディスク状記録媒体の表面に記録した識別情報を読み取る識別情報読取手段と、前記感光材シート及びディスク状記録媒体から読み取った各識別情報の一致の有無を判断する照合手段と、前記照合手段による照合結果に応じて前記搬送手段の駆動を制御する搬送制御手段とを備えたことを特徴とするものである。
【００１５】
上記構成によれば、受け付けた注文情報から注文毎の識別情報が生成され、当該識別情報が少なくとも感光材シート及びディスク状記録媒体の表面適所に記録される。そして、搬送手段の各搬送路中に配置された識別情報読取手段によって搬送中の感光材シート及びディスク状記録媒体の表面に記録した識別情報が読み取られる。読み取られた各識別情報の一致の有無が照合手段により判断され、照合結果に応じて搬送手段の駆動が制御される。例えば、各識別情報が一致する場合、搬送手段の駆動を継続し、一方、各識別情報が不一致の場合、点検等のために搬送手段の駆動を停止させる等の制御が行なわれる。これにより、感光材シートとディスク状記録媒体との組み合わせを誤ることなく、１つの収納材に収納することができ、注文者への受渡しが適正となる。
【００１６】
請求項５に係る写真処理装置は、請求項４記載の写真処理装置において、前記記録手段は、前記ネガフィルム及び該ネガフィルムを収納したネガシートの一方に前記識別情報を記録するものであり、前記識別情報読取手段は、ネガシートの搬送路途中に配置され、搬送中のネガシート又はネガフィルムの一方から識別情報を読み取るものであり、前記照合手段は、さらに前記ネガシート又はネガフィルムの一方から読み取った識別情報との一致の有無を判断するものであることを特徴とする。
【００１７】
上記構成によれば、ネガフィルム及び該ネガフィルムを収納したネガシートの一方に記録手段によって識別情報が記録される。そして、ネガシートの搬送路途中に配置された識別情報読取手段によって搬送中のネガシート又はネガフィルムの一方から識別情報を読み取られ、感光材シート及びディスク状記録媒体から読み取られた識別情報、さらにネガシート又はネガフィルムの一方から読み取った識別情報との一致の有無が照合手段により判断され、照合結果に応じて搬送手段の駆動が制御される。従って、ネガシート又はネガフィルム、感光材シート及びディスク状記録媒体の組み合わせを誤ることなく１つの収納材に収納することができ、注文者への受渡しが適正となる。
【００１８】
請求項６に係る写真処理装置は、請求項４又は５記載の写真処理装置において、前記識別情報読取手段は、搬送路の途中であって、前記収納手段の直ぐ上流位置であることを特徴とする。
【００１９】
上記構成によれば、識別情報読取手段は、搬送路の途中であって、収納手段の直ぐ上流位置であるため、ネガシート又はネガフィルム、感光材シート及びディスク状記録媒体の搬送中に搬送装置の駆動が停止した場合に、搬送路上のネガシート又はネガフィルム、感光材シート及びディスク状記録媒体を回収する作業を収納装置付近で同時に行なうことができ、作業効率が向上する。
【００２０】
請求項７に係る写真処理装置は、請求項４〜６のいずれかに記載の写真処理装置において、前記搬送制御手段は、判別結果が不一致のときには、前記搬送手段の駆動を停止することを特徴とする。
【００２１】
上記構成によれば、搬送制御手段によって判別結果が不一致のときには、搬送手段の駆動が停止されるため、誤った組み合わせの、ネガシート又はネガフィルム、感光材シート、及びディスク状記録媒体の収納材への袋詰めを防止することができ、注文者への受渡しが適正となる。
【発明の効果】
【００２２】
請求項１に係る写真処理装置によれば、ネガフィルム、感光材シート及びディスク状記録媒体の袋詰作業を自動的に行なうので、作業の効率化を図ることができる。
【００２３】
請求項２に係る写真処理装置によれば、ネガシートの感光材シートとディスク状記録媒体との袋詰作業を容易に行なうことができる。
【００２４】
請求項３に係る写真処理装置によれば、感光材シート及びディスク状記録媒体の搬送を共通の搬送路を用いて行なうので、搬送装置の構成をその分簡略化することができる。
【００２５】
請求項４に係る写真処理装置によれば、感光材シートとディスク状記録媒体との組み合わせを誤ることなく、１つの収納材に収納することができ、注文者への受渡しを適正とすることができる。
【００２６】
請求項５に係る写真処理装置によれば、ネガシート又はネガフィルム、感光材シート及びディスク状記録媒体の組み合わせを誤ることなく１つの収納材に収納することができ、注文者への受渡しを適正とすることができる。
【００２７】
請求項６に係る写真処理装置によれば、ネガシート又はネガフィルム、感光材シート及びディスク状記録媒体の搬送中に搬送装置の駆動が停止した場合に、搬送路上のネガシート又はネガフィルム、感光材シート及びディスク状記録媒体を回収する作業を収納装置付近で同時に行なうことができ、作業効率を向上させることができる。
【００２８】
請求項７に係る写真処理装置によれば、誤った組み合わせのネガシート又はネガフィルム、感光材シート及びディスク状記録媒体の収納材への袋詰めを防止することができ、注文者への受渡しを適正とすることができる。
【発明を実施するための最良の形態】
【００２９】
図１及び図２は本発明に係る写真処理装置を示す側面図及び平面図である。写真処理装置１は、受付装置１０、フィルム処理装置２０、写真出力装置３０及びＣＤ処理装置４０、収納装置５０、ネガシート搬送装置６０及び注文品搬送装置７０を備える。写真処理装置１は、外部から入力された注文情報を受け付けると共に、注文情報が受け付けられたネガフィルム（以下、フィルムという）毎に識別情報を付与する受付装置１０と、現像後のフィルムから画像データを読み取ると共に、フィルムを所定コマ数毎に切断してフィルムピースを作成し、ネガシートに収納するフィルム処理装置２０と、印画紙片（感光材シート）に画像データをプリントして写真を出力する写真出力装置３０と、ＣＤ−Ｒ（ＣＤ  ｒｅｃｏｒｄａｂｌｅ）又はＣＤ−ＲＷ（ＣＤ  ｒｅｗｒｉｔａｂｌｅ）（以下、総称してＣＤという）に画像データを書き込むＣＤ処理装置４０と、作成された写真、ネガシート、ＣＤ（ディスク状記録媒体に相当する）を１つの収納袋（収納材に相当する）に収納する収納装置５０と、フィルム処理装置２０からのネガシートを収納装置５０に搬送するネガシート搬送装置６０と、写真出力装置３０により画像データがプリントされた写真及びＣＤ処理装置４０により画像データが書き込まれたＣＤを収納装置５０に搬送する注文品搬送装置７０とを備えている。
【００３０】
図３は受付装置１０のハード構成図の一例である。図１〜図３を用いて受付装置１０の構成について説明する。受付装置１０は、受付装置１０全体の動作を制御する制御部１１と、画像の表示を行なうモニタ１２と、外部からの操作を受け付けるキーボード等からなる操作部１３と、商品引き換えのための所要の情報、例えば識別情報を所定サイズの記録紙に印刷して出力するプリンタ１４と、小型メモリカード等の記録媒体が挿入、取り出し可能に構成され、小型メモリカードに格納された画像データが読み込み可能にされた画像データ読取部１５と、画像データ読取部１５又はフィルム処理装置２０により読み取られた画像データを記憶するＨＤＤ１６と、フィルム処理装置２０、写真出力装置３０、ＣＤ処理装置４０、収納装置５０、ネガシート搬送装置６０及び注文品搬送装置７０と通信を行なう通信制御部１８と、必要に応じて設けられる外部に音声を出力するスピーカ１９とを備え、装置各部はバスＢＡ１を介して接続されている。
【００３１】
音声再生部１５１は、制御部１１からの指示に従って所定の音声（例えば、各種の判定に基づくアラーム、操作ガイダンス用の音声）をスピーカ１９から出力させるものである。描画処理部１５２は、制御部１１からの画像表示指示に従って、操作ガイド用の各画像や読取り後の画像を適宜モニタ１２に表示させるものである。インターフェイス部１５３〜１５５は、操作部１３、プリンタ１４及び画像データ読取部１５の間でデータの授受を行うためのものである。
【００３２】
制御部１１は、情報処理部（ＣＰＵ）１１１と、処理途中の情報等を一時的に格納するＲＡＭ１１２と、各種の処理プログラムや操作ガイドのための種々のボタンを有する操作画面の所定の画像情報等が予め記憶されたＲＯＭ１１３とを備えている。
【００３３】
受付装置１０は、操作部１３を介して注文情報を受け付けると共に、フィルム処理装置１６によってフィルムから読み取られた画像データまたは画像データ読取部１５により小型メモリカードから読み出された画像データをＨＤＤ１６に記憶し、必要に応じて写真出力装置３０、ＣＤ処理装置４０等に対して送信するものである。
【００３４】
図１、図２を用いてフィルム処理装置（画像読取部に相当する）２０の構成を説明する。フィルム処理装置２０は、現像処理後のフィルムに光を当てて、透過光をＣＣＤなどの撮像素子で受光することによってフィルムのコマ毎の画像データを得るフィルムスキャナ２１と、現像済みのフィルムを所定のコマ数（ここでは、４コマ）のピースに切断した後、このフィルムピースを収納可能な袋状のフィルム収納部を多数並設してなる帯状のフィルムシートの各フィルム収納部に収納するネガシート作成部（ネガフィルム収納部に相当する）２２と、フィルムスキャナ２１による画像データの読取り終了後のフィルムをネガシート作成部２２に搬送する複数の搬送ローラ対（図示省略）を有するフィルム搬送部２３と、ネガシート作成部２２によって１フィルム分が収納されたネガシートを後述するネガシート搬送装置６０の搬送ベルト６１１上に排出するための排出口２４を備える。
【００３５】
図４はネガシート作成部２２の詳細構成図で、（ａ）は平面図、（ｂ）は側面図である。ネガシート２５は、フィルムピースを収納可能なフィルム収納口を有する袋状のフィルム収納部を多数並設してなる帯状のフィルムシートである。ネガシート作成部２２は、フィルムＦの搬送方向の下流位置に設けられ、ネガシート２５をその並設方向にフィルム収納口分ずつ搬送して、ネガシート２５のフィルム収納口をフィルムＦに臨ませる搬送テーブル２１１と、複数組の搬送ローラ対２１２ａ，２１２ｂ等で構成され、フィルムＦを移送し、ネガシート２５のフィルム収納口に挿入するフィルム搬送部２１２と、フィルム搬送部２１２によって移送されるフィルムＦの先端、後端等を光学的に検出するセンサ２１３と、センサ２１３の下流に設けられ、センサ２１３の検出信号を用いて、ネガシート２５の収納条件に合致するようにフィルムＦを所定コマ数（ここでは、４コマ）毎に切断するカッタ２１４と、ネガシート２５の搬送方向下流側に設けられたインクジェット方式の印字部２１５（記録手段に相当する）と、装置全体を制御する制御部２１６とを備えている。
【００３６】
制御部２１６は、ネガシートを作成するためのネガシート作成指示信号を受付装置１０から受信すると、装置各部にフィルムをネガシートに収納させるネガシート作成処理を実行させ、ネガシートの作成終了後、内蔵するタイマ（図示省略）によって所定時間の経過の有無を判断し、所定時間の経過によってネガシートの搬送ベルト６１１への移載が終了したことを検知し、ネガシート移載終了信号を受付装置１０に出力するものである。
【００３７】
また、制御部２１６は、受付装置１０から受信した識別情報をバーコード情報に変換する変換部（図示省略）を有し、受付装置１０から識別情報を受信すると、変換後のバーコード情報を印字部２１５に出力する。印字部２１５は、ネガシート２５の所定位置にバーコード情報２５２を印字する。ここでは、印字部２１５は、ネガシート２５の１番目のフィルムピースＦＰが収納されるフィルム収納部２５１がフィルムＦの搬送方向の下流位置にセットされた時点で印字処理を行い、ネガシート２２の先端部分にバーコード情報２５２を印字する。
【００３８】
図１及び図２を用いてネガシート搬送装置６０（搬送手段に相当する）の構成を説明する。ネガシート搬送装置６０は、周回可能なベルトコンベア６１を有し、搬送ベルト６１１は、フィルム処理装置２０の排出口２４の下方位置と収納装置５０の間に亘って張設配置されている。搬送ベルト６１１の表面側には、ネガシートを搭載可能な面積を有する搭載面部６１１ａを区分けして形成するべく、長尺方向一定寸法毎に幅方向に延びる突条の仕分け部材６１１ｂが設けられている。
【００３９】
ネガシート搬送装置６０は、ネガシート２５がネガシート作成部２２の排出口２４及びガイドを介して搬送ベルト６１１上の搭載面６１１ａに略安定した姿勢で載置される度に、図略のベルト駆動部（モータ等）を駆動し（あるいは常に駆動されていて）、搬送ベルト６１１上のネガシートを収納装置５０へ搬送するものである。また、搬送ベルト６１１上の収納装置５０の直ぐ上流位置には、搬送ベルト６１１上のネガシートに記録されている識別情報を読み取るバーコードリーダ（識別情報読取手段に相当する）６１２が設けられている。
【００４０】
図５は写真出力装置３０の構成図である。図５に示すように、写真出力装置３０は、それぞれ幅の異なる複数種類（例えば２種類）の長尺印画紙Ｐを巻回収納したマガジン３１ａ、３１ｂと、該マガジン３１ａ、３１ｂから引き出した印画紙を所定サイズに切断する切断部３２と、複数組の従動ローラ３３ａ及び駆動ローラ３３ｂとガイドレール３３ｃなどで構成され、切断された印画紙片を搬送するコンベア３３と、切断された印画紙片上に画像データ読取部１５またはフィルムスキャナ２１で取り込んだ画像（画像データ）を露光する露光部３４と、現像液、定着液、漂白液及び安定化液をそれぞれ収容する複数のタンク３５ａ〜３５ｄを有し、露光された印画紙片の現像処理を行う現像処理部３５と、現像された印画紙片を乾燥する乾燥部３６と、乾燥後の印画紙片をオーダ単位に仕分けて排出するソータ３７と、乾燥部３６の下流側適所であって、搬送される印画紙片の裏面となる側に配設された所要ライン分のヘッドを有するインクジェット方式の印字部３８（記録手段に相当する）と、装置全体の動作を制御するマイクロコンピュータ、メモリ等からなる制御部３９とを備える。
【００４１】
図１及び図２に示すように、ソータ３７は、乾燥部３６上部の排出口３６１に対向して設けられた移載部３７１及びその下流の載置部３７２を備える。移載部３７１は、ベルトコンベア３７３を有し、このベルトコンベア３７３は排出口３６１からここでは裏向けで排出される印画紙をその都度図略のベルト駆動部（モータ等）により載置部３７２に向けて移送するものである。
【００４２】
載置部３７２は、鉛直面上でチェーン駆動により循環される複数のトレイ３７４を有する循環式トレイで、移載部３７１から送られてきた印画紙片が最上段に位置するトレイ３７４上に積載される高さに設定されている。トレイ３７４は、１オーダ分の印画紙片の移載が終了する毎に図略のトレイ駆動部により、下方に１段だけ移動する。載置部３７２は、本実施形態では、注文毎に１回転するように制御される。また、移載部３７１のみとして載置部３７２を不要としてもよい。
【００４３】
制御部３９は、受付装置１０から画像データのプリント処理を指示するプリント指示信号及びプリント対象の画像データを受信すると、装置各部にプリント処理を行なわせ、１オーダ分の写真が載置部３７２のトレイ３７４に積載されると、プリント終了信号を受付装置１０に出力するものである。また、制御部３９は、載置部３７２が１回転する毎に、写真の注文品搬送装置７０の搬送ベルト７１１上への移載が終了したことを示すプリント移載終了信号を受付装置１０に出力するものである。
【００４４】
制御部３９は、受付装置１０から受信した識別情報をバーコード情報に変換する変換手段（図示省略）を有し、受付装置１０から識別情報を受信すると、変換後のバーコード情報を印字部３８に出力する。印字部３８は、搬送されてくる印画紙片の裏面に識別情報を変換したバーコード情報を印字するものである。
【００４５】
また、印字部３８の近傍（例えば、上流側）には、印画紙片の通過を検出するセンサ（図示省略）を有し、このセンサ出力を受けて、印字部３８が作動するようになっている。なお、印字部３８の配設位置は、乾燥部３６の下流側に限らず、例えば、現像処理の影響を受けない場合には、現像部３５の上流側の適所であってもよい。
【００４６】
図１及び図２を用いてＣＤ処理装置（書込部に相当する）４０の構成を説明する。ＣＤ処理装置４０は、筐体の手前右側に配置された書き込み前のＣＤをストックするストック部４１と、筐体の手前左側に配置され、書き込み前のＣＤに画像データの書き込みを行うヘッド及びＣＤのレーベル面に印刷処理を施すためのインクジェット方式の印字部を有するＣＤライタ４２と、ストック部４１とＣＤライタ４２との間に手前側に向けて所要角度で傾斜して形成された面を備えるシュータ部４３と、書き込み前のＣＤをストック部４１からＣＤライタ４２に移送すると共に、書き込み及びバーコード印字後のＣＤを所定の向きでＣＤライタ４２からシュータ部４３に移送するべく真空吸着式及び左右スライド構造を有する移送部（載置手段に相当する）４４と、ＣＤ処理装置４０の全体の動作を制御するマイクロコンピュータ、メモリ等からなる制御部（図示省略）とを備えている。
【００４７】
制御部は、画像データをＣＤに書き込むための書き込み指示信号を受付装置１０から受信すると、ＣＤライタ４２によるＣＤへの画像データの書き込み処理を実行させ、書き込み処理後のＣＤを移送部４４によってＣＤライタ４２からシュータ部４３に移載させた後、ＣＤ移載終了信号を受付装置１０に出力するものである。
【００４８】
制御部は、受付装置１０から受信した識別情報をバーコード情報に変換する変換手段（図示省略）を有し、受付装置１０から識別情報を受信すると、変換後のバーコード情報をＣＤライタ４２に出力する。ＣＤライタ４２は、図６に示すようにＣＤ４５のレーベル面４５１にバーコード化された識別情報４５２を印字する。
【００４９】
図１及び図２を用いて注文品搬送装置７０（搬送手段に相当する）の構成を説明する。搬送装置７０は、周回可能なベルトコンベア７１を有し、搬送ベルト７１１上の写真、ＣＤを図略のベルト駆動部（モータ等）により収納装置５０へ搬送するものである。搬送ベルト７１１は、載置部３７２の下方位置と収納装置５０の間に亘って張設配置され、中間位置適所でＣＤ処理装置４０のシュータ部４３の傾斜面の下端に臨んでいる。搬送ベルト７１１の表面側には、１オーダ分の写真及びＣＤを搭載可能な面積を有する搭載面部７１１ａを区分けして形成するべく、長尺方向一定寸法毎に幅方向に延びる突条の仕分け部材７１１ｂが設けられている。また、搬送ベルト７１１上の収納装置５０の直ぐ上流位置には、それぞれ搭載面部７１１ａに搭載される写真、ＣＤに記録されているバーコード情報を読み取る共通又は個別のバーコードリーダ（識別情報読取手段に相当する）７１２が設けられている。
【００５０】
図７は収納装置５０（収納手段に相当する）の構成図であり、（ａ）は側断面図、（ｂ）は一部破断正面図である。図８は写真、ＣＤ及びネガシートを収納する収納袋の外観図である。図１、図２、図７及び図８を用いて収納装置５０の構成を説明する。収納装置５０の筐体上部には、ネガシート搬送装置６０によって搬送されるネガシート及び注文品搬送装置７０によって搬送される写真、ＣＤを筐体内部に搬入する搬入口５２と、搬入口５２から収納機構に向けて所要角度で傾斜する傾斜面を有するシュータ部５３ａ、５３ｂとが設けられている。収納装置５０の筐体の前面部には、写真、ＣＤ等が収納された収納袋を取り出すための開閉扉５１が開閉自在に取り付けられている。また、収納機構下方には、筐体の前面部に開閉自在に取り付けられた開閉扉５１に向けて所定角度に傾斜する傾斜面を有するシュータ部５８が形成されている。
【００５１】
収納機構は、図８に示すような写真、ＣＤ及びネガシート全てを収納可能な矩形サイズの袋部８０ａを有し、その一辺に挿入口８０ｂを覆う蓋部８０ｃが設けられた変形容易な収納袋８０を収納するストック部５４と、ストック部５４に収納された収納袋８０を１枚ずつ送り出す送り出しローラ５５と、収納袋８０を注文品が収納可能な収納位置に搬送する駆動ローラ５６１及び従動ローラ５６２からなる搬送ローラ対５６と、収納袋８０の挿入口８０ｂを開口させる開口機構５７と、装置各部の動作を制御する制御部とを備える。
【００５２】
開口機構５７において、屈曲形状の先端部５７２ａを有する板状部材５７２は、回転軸５７５により回転可能に支持されており、当該回転軸５７２は連結部材５７４を介して電磁ソレノイド５７１のアクチュエータの先端部及び復帰ばね５７３に連結されている。電磁ソレノイド５７１によるアクチュエータの引き込み動作が行なわれると、回転軸５７５を中心とする連結部材５７４の正方向への回転に伴い、板状部材５７２の先端部５７２ａが収納袋８０の搬送面に当接し、アクチュエータの引き込み動作が解除されると、復帰ばね５７３の付勢力によって連結部材５７４が回転軸５７５を中心として逆方向に回転すると共に、板状部材５７２の先端部５７２ａが右方向に揺動する。これにより、板状部材５７２の先端部５７２ａが収納袋８０の挿入口８０ｂに挿入された状態で、電磁ソレノイド５７１によるアクチュエータの引き込み動作及び解除が行なわれることによって、収納袋８０の挿入口８０ｂの開閉が行なわれる。
【００５３】
図９は収納装置５０の動作を説明するための収納機構の拡大図である。まず、制御部５９が受付装置１０の制御部１１１から収納袋８０を開状態にセットするためのセット指示信号を受信すると、ストック部５４にストックされている収納袋８０の束から一番上の収納袋８０が送り出しローラ５５によって送り出され、搬送ローラ対５６による収納袋８０の搬送が開始される。アクチュエータの引き込み時における板状部材５７２の先端部５７２ａの位置より下方の所定位置に収納袋８０の挿入口８０ｂが搬送された時点で搬送ローラ対５６による収納袋８０の搬送が停止する。そして、電磁ソレノイド５７１によるアクチュエータの引き込み動作が行なわれ、板状部材５７２の先端部５７２ａが収納袋８０の挿入口８０ｂ上部に当接する（図９（ａ））。
【００５４】
次に、搬送ローラ対５６が所定の距離分逆方向に回転することで板状部材５７２の先端部５７２が挿入口８０ｂから袋部８０ａ内部に挿入される。この状態でアクチュエータの引き込み動作が解除されると、板状部材５７２の先端部５７２ａが揺動して、袋部８０ａの挿入口８０ｂが開かれる（図９（ｂ））。
【００５５】
そして、ネガシートがネガシート搬送装置６０によって収納装置５０の搬入口５２から装置内部に搬入されると、ネガシートはシュータ部５３ａを滑り落ち、収納袋８０の袋部８０ａ内部に収納される。また、写真、ＣＤは、注文品搬送装置７０によって収納装置５０の搬入口５２から装置内部に搬入されると、シュータ部５３ｂを滑り落ち、収納袋８０の袋部８０ａ内部に収納される。
【００５６】
最後に、制御部５９が受付装置１０の制御部１１１からネガシート、写真及びＣＤの収納装置５０への搬入の終了を通知する搬入終了信号を受信すると、搬送ローラ対５６が正方向に回転駆動される。その結果、写真、ＣＤ及びネガシートが収納された収納袋８０はシュータ部５８に落下し、開閉扉５１側に滑り落ちる。
【００５７】
図１０は、受付装置１０の一例を示す機能構成図である。ＣＰＵ１１１は、外部から入力された注文情報等を受け付ける受付処理部１２１と、受付処理部１２１により注文情報が受け付けられる度に識別情報を付与する識別情報付与部１２２と、受付処理部１２１によって受け付けられた注文情報に基づき、写真出力装置３０、ＣＤ処理装置４０等に処理のための指示信号を生成すると共に、この指示信号を各装置に送信する指示情報生成部１２３とを備える。
【００５８】
ＲＡＭ１１２は、受付処理部１２１によって受け付けられた注文情報と、識別情報付与部１２２によって付与された識別情報とを対応付けて格納する注文情報記憶部１１２ａを備えている。また、ＨＤＤ１６は、画像データ読取部１５を又はフィルムスキャナ２１によって取り込まれた画像データを格納する画像データ記憶部１６１として機能する。
【００５９】
受付処理部（受付手段に相当する）１２１は、操作部１３を介して外部からの入力を受け付けて、例えば、注文者の氏名や必要に応じての住所、電話番号、電子メールアドレス等の情報（以下、注文者情報という）と、写真へのプリント処理を指示するためのプリント要求の有無、プリントサイズ、及びプリント枚数等の情報（以下、プリント情報という）と、ＣＤへの画像データの格納を指示するためのＣＤ作成要求の有無、ネガシートの作成を支持するためのネガシート作成要求の有無に関する情報とを含む注文情報を受け付けるものである。また、受付処理部１２１は、画像データ読取部１５を介して小型メモリカードに格納された画像データ又はフィルムスキャナ２１によってフィルムから読み込まれた画像データを、画像データ記憶部１６１に格納するものである。さらに、受付処理部１２１は、処理中にフィルム処理装置２０、写真出力装置３０、ＣＤ処理装置４０から割込要求を受け付けると、それに対する割込許可又は禁止を与えるものである。
【００６０】
識別情報付与部（識別情報付与手段に相当する）１２２は、注文情報受付部１２１によって受け付けられた注文情報毎に、所定のルールに則って識別情報を生成して付与すると共に、注文情報を識別情報に対応付けて注文情報記憶部１１２ａに格納するものである。ここでは、識別情報は４桁の整数であって、識別情報付与部１２２は、カウンタを内蔵しており、注文情報が受け付けられる度にカウントアップすることで、フィルム毎に４桁の一連番号である識別情報を付与するものである。
【００６１】
預り証印刷指示部１２４は、注文者に付与する預り証として、識別情報付与部１２２によって付与された識別情報を所定の用紙に印刷する旨の指示信号をプリンタ１４に出力するものである。なお、預り証は、プリント注文時に打ち出されて注文者に付与可能にされ、プリント処理等が完了して注文者が写真等を受け取る際に、識別情報の確認のために使用されるものである。
【００６２】
ネガシート作成指示部１２５は、注文情報にネガシート作成要求が含まれている場合に、現像後のフィルムからネガシートを作成する旨のネガシート作成指示信号をフィルム処理装置２０の制御部２１６に出力するものである。
【００６３】
プリント指示部１２６は、注文情報にプリント要求が含まれる場合に、処理のための情報として画像データ読取部１５又はフィルムスキャナ２１によって読み込まれた画像データをプリントサイズ、プリント枚数に従ってプリントする旨のプリント指示信号を生成し、写真出力装置３０の制御部３９に出力するものである。
【００６４】
ＣＤ書き込み指示部１２７は、注文情報にＣＤ作成要求が含まれる場合に、画像データ読取部１５またはフィルムスキャナ２１によって読み込まれた画像データをＣＤに書き込む旨の書き込み指示信号を生成し、ＣＤ処理装置４０の制御部に出力するものである。
【００６５】
搬送指示部１２８は、写真出力装置３０の載置部３７２のトレイ３７４に1オーダ分の写真が積載される毎に制御部３９からプリント終了信号を受信し、写真の注文品搬送装置７０への移載を行なわせるべく載置部３７２を１回転させる旨のプリント移載指示信号を写真出力装置３０の制御部３９に出力するものである。また、搬送指示部１２８は、写真の搬送ベルト７１１への移載後、即ち、写真出力装置３０の制御部３９からのプリント移載終了信号の受信後、搬送ベルト７１１を駆動させる搬送指示信号を注文品搬送装置７０の制御部に出力し、搬送指示信号の出力後、内蔵するタイマによって写真の収納装置５０への搬送に要する所定時間の経過の有無を判断し、所定時間が経過すると搬送ベルト７１１の駆動を停止するための搬送停止指示信号を、注文品搬送装置７０に出力するものである。
【００６６】
搬送指示部１２８は、ＣＤの搬送ベルト７１１への移載後、即ち、ＣＤ処理装置４０の制御部からのＣＤ移載終了信号の受信後、搬送ベルト７１１を駆動させる搬送指示信号を注文品搬送装置７０の制御部に出力し、搬送指示信号の出力後、内蔵するタイマによってＣＤの収納装置５０への搬送に要する所定時間の経過の有無を判断し、所定時間が経過すると搬送ベルト７１１の駆動を停止するための搬送停止指示信号を、注文品搬送装置７０に出力するものである。
【００６７】
搬送指示部１２８は、ネガシートの搬送ベルト６１１への移載後、即ち、フィルム処理装置２０の制御部２１６からのネガシート移載終了信号の受信後、搬送ベルト６１１を駆動させる搬送指示信号をネガシート搬送装置６０の制御部に出力し、搬送指示信号の出力後、内蔵するタイマによってネガシートの収納装置５０への搬送に要する所定時間の経過の有無を判断し、所定時間が経過するとネガシートの搬送を停止するための搬送停止指示信号を、ネガシート搬送装置６０の制御部に出力するものである。
【００６８】
搬送指示部１２８は、注文品搬送装置７０によって搬送中のＣＤ、写真からバーコードリーダ７１２によって読み取られた各識別情報、ネガシート搬送装置６０によって搬送中のネガシートからバーコードリーダ６１２によって読み取られた識別情報の一致判定を行う一致判定部（照合手段に相当する）１２８１を備え、これらの識別情報が一致する場合は、注文品搬送装置７０の搬送ベルト７１１及びネガシート搬送装置６０の搬送ベルト６１１の駆動を継続し、一方、一致しない場合は、注文品搬送装置７０の搬送ベルト７１１及びネガシート搬送装置６０の搬送ベルト６１１の駆動を停止させる搬送停止指示信号を注文品搬送装置７０に出力するものである。写真とＣＤの識別情報が一致する時は、注文品搬送装置７０の搬送ベルト７１１を駆動させ、ネガシート搬送装置６０の搬送ベルト６１１のみ停止してもよい。この判定処理後、注文情報記憶部１１２ａに記憶されている識別情報はクリアされる。
【００６９】
収納指示部１２９は、ネガシート、ＣＤ、写真の作成開始時点から一致判定部１２８１の判定結果を受けた時点までの所要の時点で、収納袋８０を開状態にセットするためのセット指示信号を収納装置５０に出力するものである。また、収納指示部１２９は、搬送指示部１２８からネガシート、写真及びＣＤの搬送停止指示信号が出力された場合、ネガシート、写真及びＣＤの収納装置５０への搬入の終了を通知する搬入終了信号を収納装置５０に出力するものである。
【００７０】
図１１は、受付装置１０の動作の一例を示すフローチャートである。まず、受付処理部１２１によって、注文者情報、プリントサイズ及びプリント枚数等のプリント情報、ＣＤ作成要求の有無を含む注文情報の受け付けが行なわれると（ステップＳ１）、注文情報にネガシート作成要求が含まれているか否かが判断され（ステップＳ３）、注文情報にネガシート作成要求が含まれていない場合は、ステップＳ７に進み、注文情報にネガシート作成要求が含まれている場合は、ネガシート作成指示部１２５によって注文情報からネガシート作成指示信号が生成され、ネガシート作成指示信号が識別情報付与部１２２によって付与された識別情報と共にフィルム処理装置２０の制御部２１６に出力される（ステップＳ５）。
【００７１】
次に、注文情報にＣＤ作成要求が含まれているか否かが判断され（ステップＳ７）、注文情報にＣＤ作成要求が含まれていない場合は、ステップＳ１１に進み、注文情報にＣＤ作成要求が含まれている場合は、ＣＤ書き込み指示部１２７によって、注文情報から書き込み指示信号が生成され、この指示信号が対応する画像データ及び識別情報付与部１２２によって付与された識別情報と共にＣＤ処理装置４０の制御部に出力される（ステップＳ９）。
【００７２】
さらに、注文情報にプリント要求が含まれているか否かが判断され（ステップＳ１１）、注文情報にプリント要求が含まれていない場合は、ステップＳ１５に進み、注文情報にプリント要求が含まれている場合は、プリント指示部１２６によって、注文情報からプリント指示信号が生成され、対応する画像データ及び識別情報付与部１２２によって付与された識別情報と共に写真出力装置３０の制御部３９に出力される（ステップＳ１３）。
【００７３】
受付処理部１１２は、フィルム処理装置２０、写真出力装置３０、ＣＤ処理装置４０のいずれかから割込要求を受信した場合、各装置に対する割込許可を与え（ステップＳ１５）、割込処理を実行する（ステップＳ１７）。
【００７４】
図１２は、フィルム処理装置２０から割込要求を受信した際に受信装置１０の制御部１１で行われる割込処理の一例を示すフローチャートである。搬送指示部１２８によって、フィルム処理装置２０からネガシート移載終了信号が受信されたか否かが判断され（ステップＳ３１）、ネガシート移載終了信号が受信された場合、搬送指示部１２８から搬送ベルト６１１を駆動させる搬送指示信号がネガシート搬送装置６０に出力される（ステップＳ３３）。
【００７５】
搬送ベルト６１１による搬送中のネガシートからバーコードリーダ６１２によってバーコードが読み取られ、その情報が受信されたか否かが判断され（ステップＳ３５）、識別情報が受信された場合は、当該識別情報が識別情報付与部１２２によって付与された識別情報と一致するか否かが判断される（ステップＳ３７）。両者が一致しない場合は、ネガシート搬送装置６０にネガシートの搬送を停止するための搬送停止指示信号が出力される（ステップＳ４１）。両者が一致する場合は、さらに、搬送指示部１２８から搬送指示信号の出力された時点から、ネガシートの収納装置５０への搬送に要する所定時間が経過したか否かが判断され（ステップＳ３９）、所定時間が経過した場合に、ネガシート搬送装置６０に搬送停止指示信号が出力される（ステップＳ４１）。
【００７６】
図１３にＣＤ処理装置４０から割込要求を受信した際に受信装置１０の制御部１１で行われる割込処理の一例を示すフローチャートである。搬送指示部１２８によって、ＣＤ移載終了信号が受信されたか否かが判断され（ステップＳ５１）、ＣＤ移載終了信号が受信された場合、搬送指示部１２８から搬送ベルト７１１を駆動させる搬送指示信号が注文品搬送装置７０に出力される（ステップＳ５３）。
【００７７】
搬送ベルト７１１による搬送中のＣＤからバーコードリーダ７１２によってバーコードが読み取られ、その情報が受信されたか否かが判断される（ステップＳ５５）。識別情報が受信された場合、受信された識別情報が識別情報付与部１２２によって付与された識別情報と一致するか否かが判断される（ステップＳ５７）。両者が一致しない場合は、注文品搬送装置７０にＣＤの搬送を停止するための搬送停止指示信号が出力される（ステップＳ６１）。両者が一致する場合は、さらに、搬送指示部１２８から搬送指示信号が出力された時点から、ＣＤの収納装置５０への搬送に要する所定時間が経過したか否かが判断され（ステップＳ５９）、所定時間が経過した場合に、注文品搬送装置７０に搬送停止指示信号が出力される（ステップＳ６１）。
【００７８】
図１４は、写真出力装置３０から割込要求を受信した際に受信装置１０の制御部１１で行なわれる割込処理の一例を示すフローチャートである。搬送指示部１２８によって、写真出力装置３０からプリント移載終了信号が受信された否かが判断され（ステップＳ７１）、プリント移載終了信号が受信された場合、搬送指示部１２８から搬送ベルト７１１に対する搬送指示信号が搬送装置４０に出力される（ステップＳ７３）。
【００７９】
搬送ベルト７１１による搬送中の写真からバーコードリーダ７１２によってバーコードが読み取られ、その情報が受信されたか否かが判断される（ステップＳ７５）。識別情報が受信された場合、受信された識別情報が識別情報付与部１２２によって付与された識別情報と一致するか否かが判断される（ステップＳ７７）。両者が一致しない場合は、注文品搬送装置７０に写真の搬送を停止するための搬送停止指示信号が出力される（ステップＳ８１）。両者が一致する場合は、さらに、搬送指示部１２８から搬送指示信号が出力された時点から、写真の収納装置５０への搬送に要する所定時間が経過したか否かが判断され（ステップＳ７９）、所定時間が経過した場合は、注文品搬送装置７０に搬送停止指示信号が出力される（ステップＳ８１）。
【００８０】
このように本実施形態では、フィルムから作成されたネガシート、画像データがプリントされた写真及び画像データが記録されているＣＤがオーダ毎に収納装置５０に移送され、収納袋８０への袋詰作業が自動的に行なわれるため、作業の効率化が図られる。また、収納装置５０へ搬送中のネガシート、ＣＤ及び写真それぞれから識別情報が読み取られ、各識別情報の照合結果が一致である場合は、これらの搬送を続行し、各識別情報の照合結果が不一致である場合は、これらの搬送を途中で停止するため、ネガフィルム、写真及びＣＤを正確な組み合わせで袋詰めすることができ、注文品の適正な受渡しが行なわれる。
【００８１】
（その他の実施形態）
なお、本発明は以下の形態をとることができる。
【００８２】
（Ａ）本実施形態においては、識別情報照合式としているが、基本的には１オーダ単位で処理すれば、識別情報の照合は必ずしも必須ではない。
【００８３】
（Ｂ）本実施形態においては、フィルム処理装置２０がフィルムを所定のコマ数（ここでは、４コマ）毎に切断したフィルムピースをネガシートに収納する場合について説明したが、フィルムを切断せずに所定の乃至は元のフィルム収納容器（例えば、パトローネ）に収納する形態でもよい。この場合には、フィルム処理装置２０の構成が簡略化される。
【００８４】
（Ｃ）本実施形態においては、ネガシートに識別情報を記録しているが、これに限定されずフィルムピースの適所に識別情報を記録してもよい。
【００８５】
（Ｄ）本実施形態においては、注文品を収納装置５０に搬送する手段として、搬送ベルト用いているが、チャック式の搬送機構を採用してもよい。また、注文品の移載動作及び搬送動作を、時間管理（またはモータ駆動量制御）しているが、所要箇所に注文品を検出する検出部を設けておいて、検出結果で次の工程動作に移行するようにしてもよい。
【００８６】
（Ｅ）本実施形態においては、画像データをＣＤ−ＲＷに記録する場合について説明したが、その他の記録媒体に記録する形態でもよい。例えば、ＣＤ−Ｒ、ＤＶＤ−Ｒ、ＤＶＤ−ＲＷ、ＤＶＤ＋ＲＷ、ＤＶＤ−ＲＡＭ等に記録する形態でもよい。
【００８７】
（Ｆ）本実施形態においては、ネガシート、写真及びＣＤの表面にバーコードを記録しているが、これに限定されず、バーコードと識別情報を併記するようにして、目視での照合を可能としても良い。また、ネガシート、写真及びＣＤにバーコードを印字せずに識別情報のみを印字するようにしてもよい。この場合、バーコードリーダ７１２の代わりに、ネガシート、写真及びＣＤに記録されている識別情報をパターン認識する画像読取装置を設け、識別情報を認識する。
【００８８】
（Ｇ）本実施形態では、写真及びＣＤの２つ以上の注文品に対して処理を行なっているが、３つ以上の注文品に対しても本発明の適用は可能である。
【図面の簡単な説明】
【００８９】
【図１】写真処理装置の側面図である。
【図２】写真処理装置の平面図である。
【図３】受付装置のハード構成図の一例である。
【図４】ネガシート作成部の詳細構成図で、（ａ）は平面図、（ｂ）は側面図である。
【図５】写真出力装置の構成図である。
【図６】ＣＤ処理装置により作成されたＣＤの一例である。
【図７】収納装置の構成図であり、（ａ）は側断面図、（ｂ）は一部破断正面図である。
【図８】収納袋の外観図である。
【図９】収納装置の動作を説明するための収納機構の拡大図である。
【図１０】受付装置の一例を示す機能構成図である。
【図１１】受付装置の動作の一例を示すフローチャートである。
【図１２】フィルム処理装置から割込要求を受信した際に受信装置の制御部で行われる割込処理の一例を示すフローチャートである。
【図１３】ＣＤ処理装置から割込要求を受信した際に受信装置の制御部で行われる割込処理の一例を示すフローチャートである。
【図１４】写真出力装置から割込要求を受信した際に受信装置の制御部で行なわれる割込処理の一例を示すフローチャートである。
【符号の説明】
【００９０】
１  写真処理装置
１０  受付装置（受付手段）
２０  フィルム処理装置（画像読取部）
３０  写真出力装置（プリンタ）
４０  ＣＤ処理装置（書込部）
５０  収納装置（収納手段）
６０  ネガシート搬送装置（搬送手段）
７０  注文品搬送装置（搬送手段）
１２２  識別情報付与部（識別情報付与手段）
１２８  搬送指示部（搬送制御手段）
１２８１  一致判定部（照合手段）
【図１】
2006039054.tif 000003
【図２】
2006039054.tif 000004
【図３】
2006039054.tif 000005
【図４】
2006039054.tif 000006
【図５】
2006039054.tif 000007
【図６】
2006039054.tif 000008
【図７】
2006039054.tif 000009
【図８】
2006039054.tif 000010
【図９】
2006039054.tif 000011
【図１０】
2006039054.tif 000012
【図１１】
2006039054.tif 000013
【図１２】
2006039054.tif 000014
【図１３】
2006039054.tif 000015
【図１４】
2006039054.tif 000016